(57)【特許請求の範囲】
【請求項１】
複数の整合性のある無線送信技術に従って送信される複数の順方向無線リンクと複数の逆方向無線リンクとを含む複数の無線リンクを介して、複数の移動局と一つの基地局との間で通信サービスを提供する通信システムであって、前記基地局は前記複数の整合性のある無線送信技術のそれぞれの限られた無線リンク容量を有する通信システムにおける装置であって：
前記複数の整合性のある無線送信技術のそれぞれの無線リンク容量を制御する手段；
前記複数の移動局のうち少なくとも一つと前記基地局との間の無線リンクの品質に関する情報を含む品質メトリック報告に基づいて、前記複数の整合性のある無線送信技術のそれぞれの無線リンク容量を制御する前記手段を制御する手段；
前記複数の無線リンクのうちの一つの無線リンクの送信パワー・レベルを制御する手段であって、送信パワー・レベルを制御する前記手段によって制御される前記無線リンクの送信パワー・レベルは、無線リンク容量を制御する前記手段と送信パワー・レベルを制御する前記手段との間の通信に基づき、前記通信は、前記無線リンクのフレーム・エラー・レート閾値，シンボル・エラー・レート閾値および雑音上昇のうちの少なくとも一つに関する情報を含み、前記無線リンク送信パワー・レベルの調整は、前記無線リンクのフレーム・エラー・レート閾値，シンボル・エラー・レート閾値および雑音上昇のうちの少なくとも一つに基づき、無線リンク容量を制御する前記手段と送信パワー・レベルを制御する前記手段との間の前記通信における前記情報は、前記複数の整合性のある無線送信技術のそれぞれの無線リンク容量を制御する前記手段を制御する前記手段から通信される情報に少なくとも部分的に基づく、送信パワー・レベルを制御する手段；
を備える装置。
【請求項２】
請求項１記載の装置であって：
前記複数の無線送信技術に相当する複数のタイプの複数のチャネル要素の手段であって、前記複数のチャネル要素のそれぞれは前記複数の無線リンクのうちの一つの無線リンクの無線送信のための資源を与える、複数のチャネル要素の手段；
を備える請求項１記載の装置。
【請求項３】
複数の整合性のある無線送信技術に従って送信される複数の順方向無線リンクと複数の逆方向無線リンクとを含む複数の無線リンクを介して、複数の移動局と一つの基地局との間で通信サービスを提供する通信システムであって、前記基地局は前記複数の整合性のある無線送信技術のそれぞれの限られた無線リンク容量を有する通信システムにおいて、前記複数の整合性のある無線送信技術のそれぞれの前記限られた無線リンク容量を制御する方法であって：
（ａ）  前記複数の送信技術のうちの第１タイプの無線リンクを有する前記複数の移動局のうちの一つの移動局が、前記複数の送信技術のうちの第２タイプにハンドオフしているかどうかを判定し、判定が否定的な場合に判定を繰り返す段階；
（ｂ）  前記複数の送信技術のうちの前記第１タイプに関連する第１フレーム消去レートが、前記複数の送信技術のうちの前記第１タイプに関連する第１所定のフレーム消去レート目標値より上であるかどうかを判定し、前記複数の送信技術のうちの前記第１タイプに関連する無線リンクを増幅する第１増幅器から余分な増幅パワーがないかどうかを判定する段階；
（ｃ）  前記複数の送信技術のうちの前記第２タイプに関連する第２フレーム消去レートが、前記複数の送信技術のうちの前記第２タイプに関連する第２所定のフレーム消去レート目標値より下であるかどうかを判定し、または、前記複数の送信技術のうちの前記第２タイプに関連する無線リンクを増幅する第２増幅器から余分な増幅パワーがあるかどうかを判定する段階；
（ｄ）  前記の段階（ａ），（ｂ）および（ｃ）における判定が肯定的な場合に：
（ｄ１）  前記複数の送信技術のうちの前記第１タイプの第１複数のアクティブ無線リンクを削除し、削除された前記第１タイプの第１複数のアクティブ無線リンクを前記第２タイプにハンドオフすること；および
（ｄ２）  前記複数の送信技術のうちの前記第１タイプに関連する複数の逆方向および順方向無線リンクのうちの少なくとも一つのパワー・レベルを低減すること；
の少なくとも一方を実施して、前記複数の送信技術のうちの第１タイプの無線リンク容量を制御し、段階（ｄ１）および（ｄ２）の少なくとも一方の後に段階（ａ）を反復する段階；
を備える方法。
【請求項４】
請求項３記載の方法であって：
（ｅ）  段階（ｂ）または（ｃ）における判定が否定的な場合に、前記複数の送信技術のうちの前記第２タイプに関連する前記第２フレーム消去レートが、前記複数の送信技術のうちの前記第２タイプに関連する前記第２所定のフレーム消去レート目標値より上であるかどうかを判定し、前記複数の送信技術のうちの前記第２タイプに関連する無線リンクを増幅する前記第２増幅器から余分な増幅パワーがないかどうかを判定し、段階（ｅ）における判定が否定の場合に、段階（ａ）を反復する段階；
（ｆ）  段階（ｅ）における判定が肯定的な場合に、前記複数の送信技術のうちの前記第１タイプに関連する前記第１フレーム消去レートが、前記複数の送信技術のうちの前記第１タイプに関連する前記第１所定のフレーム消去レート目標値より下かどうかを判定し、あるいは前記複数の送信技術のうちの前記第１タイプに関連する無線リンクを増幅する前記第１増幅器から余分な増幅パワーがあるかどうかを判定する段階；
（ｇ）  段階（ｅ）および（ｆ）における判定が肯定的な場合に：
（ｇ１）  前記複数の送信技術のうちの前記第２タイプの第２複数のアクティブ無線リンクを削除し、削除された前記第２タイプの第２複数のアクティブ無線リンクを前記第１タイプにハンドオフすること；および
（ｇ２）  前記複数の送信技術のうちの前記第２タイプに関連する複数の逆方向および順方向無線リンクのうちの少なくとも一つのパワー・レベルを低減すること；
のうち少なくとも一方を実施して、前記複数の送信技術のうちの第２タイプの無線リンク容量を制御し、段階（ｅ）における判定が肯定的であるか、あるいは段階（ｆ）における判定が否定的である場合で、かつ段階（ｇ１）および（ｇ２）の少なくとも一方の後に、段階（ａ）を反復する段階；
をさらに備える方法。
【請求項５】
複数の整合性のある無線送信技術に従って送信される複数の順方向無線リンクと複数の逆方向無線リンクとを含む複数の無線リンクを介して、複数の移動局と一つの基地局との間で通信サービスを提供する通信システムであって、前記基地局は前記複数の整合性のある無線送信技術のそれぞれの限られた無線リンク容量を有する通信システムにおいて、前記複数の整合性のある無線送信技術のそれぞれの前記限られた無線リンク容量を制御する方法であって：
（ａ）  前記複数の送信技術のうちの第１タイプの複数の逆方向リンクのうちの第１逆方向無線リンクに関連する第１逆方向リンク雑音レベルが、前記複数の送信技術のうちの前記第１タイプの複数の逆方向リンクに関連する第１逆方向リンク雑音閾値を超えるかどうかを判定し、あるいは前記複数の送信技術のうちの前記第１タイプの第１チャネル要素がないかどうかを判定する段階；
（ｂ）  前記複数の送信技術のうちの第２タイプの複数の逆方向リンクのうちの第２逆方向無線リンクに関連する第２逆方向リンク雑音レベルが、前記複数の送信技術のうちの前記第２タイプの複数の逆方向リンクに関連する第２逆方向リンク雑音閾値より下かどうかを判定し、前記複数の送信技術のうちの前記第２タイプの第２チャネル要素があるかどうかを判定する段階；
（ｃ）  段階（ａ）および（ｂ）における判定が肯定の場合に：
（ｃ１）  前記複数の送信技術のうちの前記第１タイプに関連する第１パイロット信号のパワー・レベルを低減し、前記複数の送信技術のうちの前記第１タイプの一つまたはそれ以上の無線リンクを前記複数の送信技術のうちの前記第２タイプにハンドオフすることを誘導すること；および
（ｃ２）  前記複数の送信技術のうちの前記第１タイプに関連する複数の逆方向および順方向無線リンクの少なくとも一つのパワー・レベルを低減すること；
のうちの少なくとも一方を実施して、前記複数の送信技術のうちの第１タイプの無線リンク容量を制御し、少なくとも段階（ｃ１）および（ｃ２）の一方に続けて段階（ａ）を反復する段階；
を備える方法。
【請求項６】
請求項５記載の方法であって：
（ｄ）  前記複数の送信技術のうちの前記第２タイプの前記複数の逆方向リンクのうちの前記第２逆方向無線リンクに関連する前記第２逆方向リンク雑音レベルが、前記複数の送信技術のうちの前記第２タイプの複数の逆方向リンクに関連する前記第２逆方向リンク雑音閾値を超えるかどうかを判定し、あるいは前記複数の送信技術のうちの前記第２タイプの第２チャネル要素がないかどうかを判定する段階；
（ｅ）  前記複数の送信技術のうちの前記第１タイプの前記複数の逆方向リンクのうちの前記第１逆方向無線リンクに関連する前記第１逆方向リンク雑音レベルが、前記複数の送信技術のうちの前記第１タイプの複数の逆方向リンクに関連する前記第１逆方向リンク雑音閾値より下かどうかを判定し、また前記複数の送信技術のうちの前記第１タイプの第１チャネル要素があるかどうかを判定する段階；
（ｆ）  段階（ｄ）および（ｅ）における判定が肯定の場合に：
（ｆ１）  前記複数の送信技術のうちの前記第２タイプに関連するアクティブ・セットから、前記複数の送信技術のうちの前記第２タイプの複数のアクティブ無線リンクを削除し、削除された前記第２タイプの複数のアクティブ無線リンクを前記複数の送信技術のうちの前記第１タイプの無線リンクにハンドオフする；および
（ｆ２）  前記複数の送信技術のうちの前記第２タイプに関連する複数の逆方向および順方向無線リンクのうちの少なくとも一つのパワー・レベルを低減する；
のうち少なくとも一方を実施して、前記複数の送信技術のうちの第２タイプの無線リンク容量を制御し、段階（ｄ）または（ｅ）における判定が否定である場合で、かつ段階（ｆ１）および（ｆ２）の少なくとも一方の後に、段階（ａ）を反復する段階；
をさらに備える方法。
【請求項７】
前記段階（ｄ）は、段階（ａ）および（ｂ）の一方が否定の場合に、段階（ａ）および（ｂ）の一方に続くことを特徴とする請求項６記載の方法。
【請求項８】
複数の整合性のある無線送信技術に従って送信される複数の順方向無線リンクと複数の逆方向無線リンクとを含む複数の無線リンクを介して、複数の移動局と一つの基地局との間で通信サービスを提供する通信システムであって、前記基地局は前記複数の整合性のある無線送信技術のそれぞれの限られた無線リンク容量を有する通信システムにおいて、前記複数の整合性のある無線送信技術のそれぞれの前記限られた無線リンク容量を制御する方法であって：
（ａ）  前記複数の送信技術のうちの第１タイプの前記複数の逆方向リンクのうちの第１逆方向無線リンクに関連する第１逆方向リンク雑音レベルが、前記複数の送信技術のうちの前記第１タイプの複数の逆方向リンクに関連する第１逆方向リンク雑音閾値より下かどうかを判定し、また前記複数の送信技術のうちの前記第１タイプの第１チャネル要素があるかどうかを判定する段階；
（ｂ）  前記複数の送信技術のうちの第２タイプの前記複数の逆方向リンクのうちの第２逆方向無線リンクに関連する第２逆方向リンク雑音レベルが、前記複数の送信技術のうちの前記第２タイプの複数の逆方向リンクに関連する第２逆方向リンク雑音閾値より下かどうかを判定し、あるいは前記複数の送信技術のうちの前記第２タイプの第２チャネル要素がないかどうかを判定する段階；
（ｃ）  段階（ａ）および（ｂ）における判定が肯定の場合に：
（ｃ１）  前記複数の送信技術のうちの前記第２タイプに関連するアクティブ・セットから、前記複数の送信技術のうちの前記第２タイプの複数のアクティブ無線リンクを削除し、削除された前記第２タイプの複数のアクティブ無線リンクを前記複数の送信技術のうちの前記第１タイプの無線リンクにハンドオフする；および
（ｃ２）  前記複数の送信技術のうちの前記第２タイプに関連する複数の逆方向および順方向無線リンクのうちの少なくとも一つのパワー・レベルを低減する；
のうちの少なくとも一方を実施して、前記複数の送信技術のうちの第２タイプの無線リンク容量を制御する段階；
を備える方法。
【請求項９】
複数の整合性のある無線送信技術に従って送信される複数の順方向無線リンクと複数の逆方向無線リンクとを含む複数の無線リンクを介して、複数の移動局と一つの基地局との間で通信サービスを提供する通信システムであって、前記基地局は前記複数の整合性のある無線送信技術のそれぞれの限られた無線リンク容量を有する通信システムにおける装置であって：
前記複数の整合性のある無線送信技術のそれぞれの無線リンク容量を制御する手段；
前記複数の移動局のうち少なくとも一つと前記基地局との間の無線リンクの品質に関する情報を含む品質メトリック報告に基づいて、前記複数の整合性のある無線送信技術のそれぞれの無線リンク容量を制御する前記手段を制御する手段；
前記複数の無線リンクのうちの一つの無線リンクの送信パワー・レベルを制御する手段であって、送信パワーを制御する前記手段によって制御される前記無線リンク送信パワー・レベルは、無線リンク容量を制御する前記手段と送信パワー・レベルを制御する前記手段との間の通信に基づき、前記通信は、前記無線リンクのフレーム・エラー・レート閾値，シンボル・エラー・レート閾値および雑音上昇のうちの少なくとも一つに関する情報を含み、前記無線リンク送信パワー・レベルの調整は、前記無線リンクのフレーム・エラー・レート閾値，シンボル・エラー・レート閾値および雑音上昇のうちの少なくとも一つに基づき、無線リンク容量を制御する前記手段と送信パワー・レベルを制御する前記手段との間の前記通信における前記情報は、前記複数の整合性のある無線送信技術のそれぞれの無線リンク容量を制御する前記手段を制御する前記手段から通信される情報に少なくとも部分的に基づき、前記複数の整合性のある無線送信技術のそれぞれの無線リンク容量を制御する前記手段は、前記複数の整合性のある無線送信技術の数に相当する数の無線リンク容量を制御する独立した手段を含む、送信パワー・レベルを制御する手段；
を備える装置。
【発明の詳細な説明】
（産業上の利用分野）
本発明は、一般に、ワイヤレス通信システムに関し、さらに詳しくは、このようなワイヤレス通信システムにおける容量および通信トラヒック制御に関する。
【０００１】
（従来の技術）
セルラ通信システムは周知であり、より多くの人が毎日の通信ニーズのためにセルラ通信システムを採用するにつれて、より高い通信容量条件を満たすために進化しつづけている。例えば、周知のＩＳ−９５Ａ規格に従って動作する通信システムから進化した一つの通信システムは、一般にＣＤＭＡ２０００通信システムと呼ばれている。ＩＳ−９５ＡおよびＣＤＭＡ２０００通信システムは、ＩＳ−９５ＡおよびＣＤＭＡ２０００規格によってそれぞれ定義される送信技術に従って動作する。ＩＳ−９５ＡおよびＣＤＭＡ２０００システムは、整合性のあるシステムである。ワイドバンドＣＤＭＡなど、一つまたはそれ以上の既存のシステムと整合性のある他のシステムも提唱され、実施されている。このような整合性のある通信システムは、本出願の提出時点で提唱され、あるいは実施されている。従って、システム整合性の程度は、基本的な整合性条件から逸脱せずに、将来変更することもありうる。例えば、ＣＤＭＡ２０００通信システムにおいて、レイヤ２および上層のメッセージング／シグナリングは、ＩＳ−９５Ａ通信システムと整合できるが、エア・インタフェース(air-interface)は通信システム間で異なることがある。従って、２つのシステムは、動作が異なっても、整合性のある無線送信技術を有する。
【０００２】
ＩＳ−９５Ａ送信技術に基づくシステムは旧システムであり、世界の多くの地域で実施され、利用されている。ＣＤＭＡ２０００およびＷＣＤＭＡシステムは新システムである。このような新システムは、古い整合性のあるシステムによって網羅される地域で重複(overlay)的に実施される。そのため、旧および新システムからなるシステムの容量は増加され、それによりより多くの人がセルラ技術を介して同じ地域内で通信できるようになる。両システムと整合性のある移動ユニットは、いずれのシステムの無線送信技術を介して通信できる。整合システムの基地局は、無線および陸上方式の接続を提供する。このような基地局は、互いに同一位置あるいは近傍に配置できる。システムのユーザに対して、基地局は整合性のある送信技術を有する一つの基地局として見える。これは、動作中にどの技術を自分の移動局が利用しているのかについて、ユーザは意識する必要はない。
【０００３】
３つのタイプの移動局がありうる。第１のタイプは、旧送信技術に従ってのみ通信し、第２のタイプは新通信技術に従って通信し、第３のタイプは旧または新タイプの送信技術の従って通信する。第３のタイプは、一般にデュアル・モード移動局という。デュアル・モード移動局は、基地局と呼が進行中の際に、送信技術間でハンドオフを行うことができる。地理的エリア内に３つの整合システムがある場合、移動局は３モード(tri-mode)でもよく、３つのシステムのどれでも動作できる。その結果、３種類以上の移動局が存在してもよい。デュアル・モード通信ユニットについてダイバーシチを実施するための方法および装置については、米国特許庁に１９９８年７月８日に出願され、本出願の譲受人に譲渡され、本明細書の参考として含まれる、出願番号第０９／１１１，９７４号である、本出願と少なくとも一人の共通の発明者がいるTen-Brookらによる特許出願において説明されている。
【０００４】
通常、基地局は、各整合のある無線送信技術の限られた無線リンク容量を有する。無線リンク容量は、合成信号を増幅する増幅器最大線形利得、もしくはシステム内で無線リンク用の資源を提供するチャネル要素の数のいずれかによって、あるいは増幅器およびチャネル要素の両方によって制限される。例えば、旧送信技術の無線リンク容量がその限界付近に達すると、基地局は旧送信技術によってのみ動作する移動局に対して通信サービスを拒否することがあり、同様に、新技術の無線リンク容量がその限界付近に達すると、新送信技術によってのみ動作する移動局に対してサービスを拒否することがある。両方のタイプの技術で動作するデュアル・モード移動局は、基地局が無線送信技術のいずれか一方で利用可能な無線リンク容量を有する限り、通信サービスを受信できる。
【０００５】
カバレッジ・エリア内外を出入りする移動局の数の独立した制御は存在しない。さらに、カバレッジ・エリア内にある旧，新およびデュアル・モード移動局の比率の独立した制御は存在しない。その結果、基地局は、例えば、新送信技術において利用可能な無線リンク容量を有しているが、旧技術において利用可能な容量は、旧タイプの移動局と、旧タイプの送信を利用するデュアル・モード移動局とによって限界まで利用されている状況がありうる。デュアル・モード移動局に影響を及ぼす場合、旧タイプの送信技術の無線リンク容量の枯渇は、デュアル・モード移動局の一部を旧送信技術から新送信技術にハンドオフすることによって簡単に解決できるが、両方の送信技術がカバレッジ・エリア内で利用可能となる場合に、全ての種類の移動局について新送信技術および旧送信技術の無線リンク容量の利用可能性を平衡させる独立した制御は存在しない。
【０００６】
従って、このようなワイヤレス通信システムにおいて容量および通信トラヒックを制御するための方法および装置が必要とされる。
【０００７】
（好適な実施例の説明）
本発明の一つまたはそれ以上の態様に従って、通信システムにおいて無線リンク容量を制御する問題が解決される。本発明の各態様は、ブロック図１００である図１を参照して示される。ブロック図１００は、本発明の各態様により動作する通信システム内の各ブロックの概念区分を示す。これらの区分は、本発明の説明を促すために示されている。ブロックは、ソフトウェア，ハードウェアまたはハードウェアとソフトウェアの組合せによって実装される。このような実装は、周知である。
【０００８】
通信システムは、複数の順方向無線リンクおよび複数の逆方向無線リンクを含むことができる複数の無線リンクを介して、複数の移動局と一つの基地局との間で通信サービスを提供できる。無線リンクは、複数の整合性のある無線送信技術に従って送信される。基地局は、複数の整合性のある無線送信技術のそれぞれの限られた無線リンク容量を有することができる。
【０００９】
本発明の一実施例による通信システムにおける装置は、複数の整合性のある無線送信技術のそれぞれの無線リンク容量を制御する手段１１２と、複数の移動局の少なくとも一つと基地局との間の無線リンクの品質に関する情報を含む品質メトリック報告１１４に基づいて、複数の整合性のある無線送信技術のそれぞれの無線リンク容量を制御する手段１１２を制御する手段１１３とを含むことができる。また、複数の無線送信技術のそれぞれの無線リンク容量を制御する手段１１２を制御する手段１１３は、グローバル容量コントローラ(global capacity controller)１１３ともいう。従って、品質メトリック報告１１４に基づいて複数の整合性のある無線送信技術のそれぞれの無線リンク容量を制御する手段１１２において、グローバル容量コントローラ１１３を介して複数の整合性のある無線送信技術のそれぞれの無線リンク容量を制御することは、複数の整合性のある無線送信技術の無線リンク容量が、一つのタイプの利用過剰(over-utilization)や別のタイプの利用不足(under-utilization)なしに、適切に利用され、そのため無線リンク資源の均衡の取れた利用を行うものとする。
【００１０】
複数の整合性のある無線送信技術のそれぞれの無線リンク容量を制御する手段１１２は、複数の整合性のある無線送信技術の数に相当する数の無線リンク容量を制御する独立した手段を含むことができる。例えば、それぞれ第２世代および第３世代システムを表すためにそれぞれ一般に２Ｇシステムおよび３Ｇシステムという、ＩＳ−９５ＡおよびＣＤＭＡ２０００システム容量を制御する２つの独立した手段１１０および１１１が存在してもよい。ＷＣＤＭＡシステムは、３Ｇシステムとみなされる。グローバル容量コントローラ１１３は、両方の独立した手段１１０，１１１との通信１１５，１１６を有し、これらは独立した手段１１０，１１１が各送信技術の容量を制御する方法に影響を及ぼしうるグローバル制御を行う。通信１１５，１１６を介したこのようなグローバル制御は、送信技術に従って通信される無線リンクの品質に関する情報を含むことができる品質メトリック報告１１４に基づく。
【００１１】
品質メトリック報告１１４は、複数の移動局のうちの少なくとも一つと基地局との間の無線リンクの品質に関する情報を含む。無線リンクの品質は、各タイプの無線送信容量の利用を制御するために利用できる。例えば、品質メトリック報告１１４が第１タイプの送信技術に従って通信された無線リンクの劣悪または不適切な性能を示す場合、コントローラは、第１タイプの送信技術の輻輳および利用過剰を緩和するために、ハンドオフしたり、あるいは第２通信技術上で新規呼を確立することを試みる。
【００１２】
品質メトリック報告１１４は、複数の無線リンクのうちの少なくとも一つと、識別された無線リンクの送信のために利用されている複数の送信技術のうちの少なくとも一つとを識別する情報をさらに含むことができる。また、品質メトリック報告１１４は、複数の無線リンクのうちの少なくとも一つのフレーム・エラー・レートまたはシンボル・エラー・レート・メトリックに関する情報を含むことができる。無線リンクは、基地局から移動局への順方向無リンクおよび移動局から基地局への逆方向無線リンクとなるように区分できる。従って、品質メトリック報告１１４にて識別された複数の無線リンクのうちの少なくとも一つは、基地局と移動局との間で通信される複数の逆方向無線リンクのうちの少なくとも一つでもよい。
【００１３】
通常、システムは、システムが無線リンク品質の劣化を検出したときに用いられるハンドオフ・ルーチンを有する。ハンドオフは、ソフト・ハンドオフまたはハード・ハンドオフの形式でもよい。ハンドオフを実施する方法は周知であり、一つまたはそれ以上の通信規格に従って通常実施される。ハンドオフ要求は無線リンクの劣悪または不適切な品質の指標となるので、品質メトリック報告１１４は、複数の無線リンクのうちの少なくとも一つに関連して行われるハンドオフ要求に関する情報を含むことができる。ハンドオフ要求は、複数の送信技術の間の無線リンクのハンドオフのためでもよい。ハンドオフ要求がシステムによって許可されると、品質メトリック報告１１４は、ハンドオフ要求に基づいて許可された選択済み送信技術に関する情報を含むことができる。
【００１４】
通信システムは、複数の無線送信技術に相当する複数のタイプ１２１，１２２の複数のチャネル要素の手段１２０を含むことができる。通常、通信システムは限られた数の複数のチャネル要素１２１，１２２を有する。例えば、複数のチャネル要素１２１は２Ｇ送信技術用の通信資源を与え、同様に、複数のチャネル要素１２２は３Ｇ送信技術用の通信資源を与える。各チャネル要素は、無線リンクの無線送信のための資源を与える。チャネル要素は、ハードウェアおよびソフトウェア資源を含むことができる。通信システムは、複数のタイプ１２１，１２２の複数のチャネル要素の手段１２０から受信した情報１５３，１５４に基づいて、品質メトリック報告１１４を報告する手段１３０をさらに含むことができる。このような情報は、複数の無線リンクを維持するために用いられているチャネル要素の数およびタイプ、ならびに無線リンクのフレーム・エラー・レートおよびシンボル・エラー・レートを含むことができる。
【００１５】
通信システムは、無線リンクの送信パワー・レベルを制御する手段１４２を含むことができる。無線リンク容量は、符号分割多元接続通信システムでは各無線リンクのパワー・レベルに直接関係する。ＩＳ−９５およびＣＤＭＡ２０００は、符号分割多元接続技術に基づいている。システム容量は、合成信号(combined signal)を増幅するためシステムの最大容量に依存する。従って、システム容量は、合成信号を形成する個別の無線リンク信号のパワー・レベルに依存する。
【００１６】
無線リンク送信のパワー・レベルは、例えば、２Ｇシステム用のパワー制御手段１４０と、３Ｇシステム用のパワー制御手段１４１とを含むことができる送信パワー・レベルを制御する手段１４２によって制御できる。このようなパワー・レベル制御は、複数の整合性のある無線送信技術のそれぞれの無線リンク容量を制御する手段１１２と、送信パワー・レベルを制御する手段１４２との間の通信１４３，１４４に基づいてもよい。通信１４３，１４４は、無線リンクのフレーム・エラー・レート閾値に関する情報を含むことができる。また、通信１４３，１４４は、フレーム・エラー・レート閾値に基づいてもよい無線リンク送信パワー・レベルの調整に関する情報をさらに含むことができる。また、通信１４３，１４４は、複数の無線リンクについて送信パワー設定情報およびパワー増加要求に関する情報をさらに含むことができる。２Ｇおよび３Ｇパワー制御１４０，１４１による無線リンクのパワー制御は、通信１４３，１４４からそれぞれ受信した情報に基づく。通信１４３，１４４によって伝播される情報は、グローバル容量コントローラ１１３からの通信１１５，１１６を介して受信される情報だけでなく、通信１５３，１５４からそれぞれ受信される情報に基づく、そのため、グローバル容量コントローラ１１３は、パワー制御１４０，１４１のパワー制御動作を制御し、従って、通信システムの無線リンク容量を直接制御する。このような制御は、無線リンクのパワー増加要求およびフレーム・エラー閾値を変更する形態でもよい。
【００１７】
本発明の各態様に従って、グローバル容量コントローラ１１３は、品質メトリック報告１１４および通信１１５，１１６によって受信された情報を利用するソフトウェアまたはハードウェア実装を介してアルゴリズムを内蔵することにより、各タイプの送信技術の無線リンク容量および通信トラヒックを制御できる。このアルゴリズムの各態様は、図２および図３を参照して示される。
【００１８】
図２は、個別の無線リンク性能を考慮することにより、各タイプの無線送信技術の無線リンク容量を制御するためのフローチャートを示す。図３は、各タイプの無線送信技術の総合性能を考慮することにより、各タイプの無線送信技術の無線リンク容量を制御するためのフローチャートを示す。
【００１９】
通信システムは、複数の整合性のある無線送信技術に従って送信される複数の順方向無線リンクと複数の逆方向無線リンクとを含む複数の無線リンクを介して、複数の移動局と一つの基地局との間で通信サービスを提供できる。基地局は、複数の整合性のある送信技術のそれぞれの限られた無線リンク容量を有することができる。複数の整合性のある無線送信技術のそれぞれの限られた無線リンク容量を制御するための本発明の各態様による方法は、以下の段階のうちの一つまたはそれ以上を含むことができる：
ステップ２１０にて、複数の送信技術のうちの第１タイプ、例えば、３Ｇタイプの無線リンクを有する複数の移動局のうちの一つの移動局が、複数の送信技術のうちの第２タイプ、例えば、２Ｇタイプにハンドオフしているかどうかを判定し、またステップ２１０における判定が否定の場合、ステップ２１０を反復し続ける；
ステップ２１２にて、複数の送信技術のうちの第１（３Ｇ）タイプに関連する第１（３Ｇ）フレーム消去レートが複数の送信技術のうちの第１（３Ｇ）タイプに関連する第１（３Ｇ）所定のフレーム消去レート目標値よりも上であるかどうかを判定し、また複数の送信技術のうちの第１（３Ｇ）タイプに関連する無線リンクを増幅する第１（３Ｇ）増幅器から余分な増幅パワーがないかどうかを判定する；
ステップ２１４にて、複数の送信技術のうちの第２（２Ｇ）タイプに関連する第２（２Ｇ）フレーム消去レートが複数の送信技術のうちの第２（２Ｇ）タイプに関連する第２（２Ｇ）所定のフレーム消去レート目標値よりも下であるかどうかを判定し、あるいは複数の送信技術のうちの第２（２Ｇ）タイプに関連する無線リンクを増幅する第２（２Ｇ）増幅器から余分な増幅パワーがあるかどうかを判定する；
ステップ２２０にて、ステップ２１２，２１４における判定が肯定の場合、複数の送信技術のうちの第１（３Ｇ）タイプの第１（３Ｇ）複数のアクティブ無線リンクを削除し、削除した第１（３Ｇ）タイプの第１（３Ｇ）複数のアクティブ無線リンクを第２（２Ｇ）タイプにハンドオフし、それにより複数の送信技術のうちの第１（３Ｇ）タイプに関連する通信トラヒックを軽減し、そしてステップ２１０を反復し続ける；
ステップ２１６にて、複数の送信技術のうちの第２（２Ｇ）タイプに関連する第２（２Ｇ）フレーム消去レートが複数の送信技術のうちの第２（２Ｇ）タイプに関連する第２（２Ｇ）所定のフレーム消去レート目標値よりも上であるかどうかを判定し、また複数の送信技術のうちの第２（２Ｇ）タイプに関連する無線リンクを増幅する第２（２Ｇ）増幅器から余分な増幅パワーがないかどうかを判定し、そしてステップ２１６における判定が否定の場合、ステップ２１０を反復し続ける；
ステップ２１８にて、複数の送信技術のうちの第１（３Ｇ）タイプに関連する第１（３Ｇ）フレーム消去レートが複数の送信技術のうちの第１（３Ｇ）タイプに関連する第１（３Ｇ）所定のフレーム消去レート目標値よりも下であるかどうかを判定し、あるいは複数の送信技術のうちの第１（３Ｇ）タイプに関連する無線リンクを増幅する第１（３Ｇ）増幅器から余分な増幅パワーがあるかどうかを判定する；
ステップ２２２にて、ステップ２１６，２１８における判定が肯定の場合、複数の送信技術のうちの第２（２Ｇ）タイプの第２（２Ｇ）複数のアクティブ無線リンクを削除し、削除した第２（２Ｇ）タイプの第２（２Ｇ）複数のアクティブ無線リンクを第１（３Ｇ）タイプにハンドオフし、それにより複数の送信技術のうちの第２（２Ｇ）タイプに関連する通信トラヒックを軽減し、ステップ２１０を反復し続け、そしてステップ２１６における判定が肯定であるか、あるいはステップ２１８における判定が否定である場合、ステップ２１０を反復する。
【００２０】
図３に示すフローチャートによって示される本発明の各態様に従って、各タイプの無線送信技術の総合性能を考慮することにより、各タイプの無線送信技術の無線リンク容量を制御する方法は、以下の段階のうちの一つまたはそれ以上を含むことができる：
ステップ３１０にて、複数の送信技術のうち第１（３Ｇ）タイプの複数の逆方向リンクのうちの第１（３Ｇ）逆方向無線リンクに関連する第１（３Ｇ）逆方向リンク雑音レベルが、複数の送信技術のうちの第１（３Ｇ）タイプの複数の逆方方向リンクに関連する第１（３Ｇ）逆方向リンク雑音閾値を越えるかどうかを判定し、あるいは複数の送信技術のうちの第１（３Ｇ）タイプの第１（３Ｇ）チャネル要素がないかどうかを判定する；
ステップ３１２にて、複数の送信技術のうちの第２（２Ｇ）タイプの複数の逆方向リンクのうちの第２（２Ｇ）逆方向リンクに関連する第２（２Ｇ）逆方向リンク雑音レベルが、複数の送信技術のうちの第２（２Ｇ）タイプの複数の逆方向リンクに関連する第２（２Ｇ）逆方向リンク雑音閾値よりも下かどうかを判定し、また複数の送信技術のうちの第２（２Ｇ）タイプの第２（２Ｇ）チャネル要素があるかどうかを判定する；
ステップ３１４にて、ステップ３１０，３１２における判定が肯定の場合、複数の送信技術のうちの第１（３Ｇ）タイプに関連する第１（３Ｇ）パイロット信号のパワー・レベルを低減し、それにより複数の送信技術のうちの第１（３Ｇ）タイプの一つまたはそれ以上の無線リンクを複数の送信技術のうちの第２（２Ｇ）タイプにハンドオフすることを誘導し、そしてステップ３１０を反復し続ける；
ステップ３１６にて、複数の送信技術のうち第２（２Ｇ）タイプの複数の逆方向リンクのうちの第２（２Ｇ）逆方向無線リンクに関連する第２（２Ｇ）逆方向リンク雑音レベルが、複数の送信技術のうちの第２（２Ｇ）タイプの複数の逆方方向リンクに関連する第２（２Ｇ）逆方向リンク雑音閾値を越えるかどうかを判定し、あるいは複数の送信技術のうちの第２（２Ｇ）タイプの第２（２Ｇ）チャネル要素がないかどうかを判定する；
ステップ３１８にて、複数の送信技術のうちの第１（３Ｇ）タイプの複数の逆方向リンクのうちの第１（３Ｇ）逆方向リンクに関連する第１（３Ｇ）逆方向リンク雑音レベルが、複数の送信技術のうちの第１（３Ｇ）タイプの複数の逆方向リンクに関連する第１（３Ｇ）逆方向リンク雑音閾値よりも下かどうかを判定し、また複数の送信技術のうちの第１（３Ｇ）タイプの第１（３Ｇ）チャネル要素があるかどうかを判定する；
３２０にて、ステップ３１６，３１８における判定が肯定の場合、複数の送信技術のうちの第１（３Ｇ）タイプに関連するアクティブ・セットから、複数の送信技術のうちの第１（３Ｇ）タイプの複数のアクティブ無線リンクを削除し、削除した第１（３Ｇ）タイプの複数のアクティブ無線リンクを、複数の送信技術のうちの第２（２Ｇ）タイプの無線リンクにハンドオフし、それにより複数の送信技術のうちの第１（３Ｇ）タイプに関連する通信トラヒックを軽減し、そしてステップ３１０を反復し、またステップ３１６またはステップ３１８における判定が否定の場合、ステップ３１０を反復する。
【００２１】
本発明の実施例において、ステップ３１０，３１６は迂回してもよく、方法はステップ３１６から開始する。この場合、本方法は以下の段階を含む：
ステップ３１６にて、複数の送信技術のうち２Ｇタイプの複数の逆方向リンクのうちの２Ｇ逆方向無線リンクに関連する２Ｇ逆方向リンク雑音レベルが、複数の送信技術のうちの２Ｇタイプの複数の逆方方向リンクに関連する２Ｇ逆方向リンク雑音閾値より下かどうかを判定し、また複数の送信技術のうちの２Ｇタイプの２Ｇチャネル要素があるかどうかを判定する；
ステップ３１８にて、複数の送信技術のうちの３Ｇタイプの複数の逆方向リンクのうちの３Ｇ逆方向リンクに関連する３Ｇ逆方向リンク雑音レベルが、複数の送信技術のうちの３Ｇタイプの複数の逆方向リンクに関連する３Ｇ逆方向リンク雑音閾値を越えるかどうかを判定し、あるいは複数の送信技術のうちの３Ｇタイプの３Ｇチャネル要素がないかどうかを判定する；
ステップ３２０にて、ステップ３１６，３１８における判定が肯定の場合、複数の送信技術のうちの３Ｇタイプに関連するアクティブ・セットから、複数の送信技術のうちの３Ｇタイプの複数のアクティブ無線リンクを削除し、削除した３Ｇタイプの複数のアクティブ無線リンクを、複数の送信技術のうちの２Ｇタイプの無線リンクにハンドオフし、それにより複数の送信技術のうちの２Ｇタイプに関連する通信トラヒックを軽減する。
【００２２】
本発明は、例えば、複数の送信技術のうち第１タイプに関連する複数の逆方向および順方向無線リンクのうち少なくとも一つのパワー・レベルを低減し、それにより容量を制御するなど、複数の送信技術のうちの第１タイプに関連する通信トラヒックを軽減する段階を含むことができる。パワー低減の結果、他のユーザをシステムに追加できる。
【００２３】
本発明について、特定の実施例を参照して具体的に図説してきたが、当業者であれば、本発明の精神および範囲から逸脱せずに、形態および詳細におけるさまざまな変更が可能なことが理解されよう。特許請求の範囲における全ての手段または段階ならびに機能要素の対応する構造，材料，行為および同等は、具体的に請求される他の請求要素と組み合わせて機能を実行するための任意の構造，材料または行為を含むものとする。
【図面の簡単な説明】
【図１】  本発明の各態様により動作する通信システム内の各ブロックの概念区分を示す。
【図２】  本発明の各態様により、通信システムにおいて各タイプの無線送信技術の無線リンク容量を制御するためのアルゴリズムのフローチャートを示す。
【図３】  本発明の各態様により、通信システムにおいて各タイプの無線送信技術の無線リンク容量を制御するためのアルゴリズムのフローチャートを示す。
【図１】
0004558953.tif 000002
【図２】
0004558953.tif 000003
【図３】
0004558953.tif 000004